(57)【特許請求の範囲】
【請求項１】
底面に設けられた開口と、
前記開口を開閉する開閉部材と、
前記開閉部材を閉じた状態に保つ係止機構とからなり、
前記開口が前記樋を切り欠いて設けられており、
前記開閉部材が前記樋の一部に直接取り付けられており、
前記開口が閉じているときに、開口と開閉部材の間が密閉処理されている樋のゴミ取り装置。
【請求項２】
前記開閉部材が樋の直径方向に回動することによって開閉することを特徴とする請求項１に記載の樋のゴミ取り装置。
【請求項３】
前記開閉部材が樋の軸方向に回動することによって開閉することを特徴とする請求項１に記載の樋のゴミ取り装置。
【請求項４】
底面に設けられた開口と、前記開口を開閉する開閉部材と、前記開閉部材を閉じた状態に保つ係止機構とからなり、前記開口が閉じているときに開口と開閉部材の間が密閉処理されており、前記開口が、基盤部材を切り欠くことによって設けられ、前記開閉部材が前記基盤部材に直接取り付けられ、前記基盤部材が前記樋の一部に直接取り付けられていることを特徴とする樋のゴミ取り装置。
【請求項５】
前記係止機構が、前記開閉部材に取り付けられたワイヤと、ワイヤを引っ張る力を方向転換するガイドと、ワイヤを止めるワイヤ係止機構とからなることを特徴とする、請求項１に記載の樋のゴミ取り装置。
【請求項６】
前記係止機構が、前記開閉部材に取り付けられたワイヤと、ワイヤを引っ張る力を方向転換するガイドと、ワイヤを止めるワイヤ係止機構とからなることを特徴とする、請求項４に記載の樋のゴミ取り装置。
【請求項７】
前記開閉部材が樋の直径方向に回動することによって開閉することを特徴とする請求項５に記載の樋のゴミ取り装置。
【請求項８】
前記開閉部材が樋の軸方向に回動することによって開閉することを特徴とする請求項６に記載の樋のゴミ取り装置。
【発明の詳細な説明】
【０００１】
【発明が属する技術分野】
この発明は、家屋、ビルディング、プレハブ、農業用ビニールハウス、テラス、等に用いられる雨樋に関する。雨樋の形状は、直径方向断面半円型、同角型等、既存のあらゆるものが対象である。
【０００２】
【従来の技術】
従来、軒樋の集水は、軒樋に勾配を付与し、最も低い部分に集水器を取付けることで行なっている。樋に落ちた、落ち葉等のゴミは、樋の勾配により下流に流れる水にのって、徐々に、樋の下流に流れる。落ち葉やゴミに対する策がとられていない場合には、落ち葉等のゴミは樋の最下流にある集水器に入り込み、これが溜まって詰まりの原因となった。詰まりがおきると、雨水が直接軒裏や建物の外壁等を伝うため、外壁等の汚れや腐食が生じ、また、壁にクラックがある場合には、そこから内部に水が入り込んで、柱や土台の腐食をもたらした。そこで、雨樋に溜まった落ち葉等は、こまめに取り除く必要があるが、雨樋は通常高所にあるため梯子の使用等が必要であり、面倒でかつ危険であった。
【０００３】
このため、雨樋集水器や軒樋に金網等を取り付けて、ゴミが金網に引っかかって樋に入り込まないようにする方法がとられている。しかし、これでも相変わらず高所の金網に溜まったゴミを人間の手で取り除く必要があった。また、樋に入り込んだ屋根瓦の末端との間隔が狭いために、溜まった落ち葉を取り難いという問題もあった。また、軒樋の形状はさまざまであり、極端なデザイン化により手を挿し入れることができないものもある。この場合溜まったゴミを取り除くことが困難であった。
【０００４】
また、軒樋と集水器の境目に櫛様の部材を取付けて、軒樋の勾配により流れてきたゴミがクシ様の部材に引っかかって止まるようにする方法がとられている。しかし、これでも相変わらずクシ様の部材に留まったゴミ等を人間の手で取り除く必要があった。
【０００５】
また、従来、図１４に示すような落ち葉よけ４０があった。しかし、このような落ち葉よけ４０にあっては、雨樋４１の内部に存在するブラケット釣り具がじゃまになるため、その部分をよけるべく、軸方向に複数に切断して取り付ける必要があった。この場合、切断箇所から落ち葉等が入り込むのを防げなかった。また、様々な樋の形状に対応すべく、樋を取り付けることを業とする者は常に多種の複数のネットを備えておく必要があった。また、針葉樹等細いものは、ネットに引っかかりやすく、これを取り除くのはやはり困難であった。
【０００６】
さらに、バルコニーやテラスに取り付けられた樋では、屋根が軽量・軟弱なため、これに登ることができず、樋の掃除が特に困難であった。
【０００７】
【発明が解決しようとする課題】
樋に溜まったゴミを、高所に登らずに容易に取り除くことができるゴミ取装置を提供することを目的とする。
【０００８】
また、様々な形状の軒樋に対応できるゴミ取装置を提供することを目的とする。
【０００９】
また、既存の樋に、後仕様で取り付けることのできるゴミ取装置を提供することを目的とする。
【００１０】
【課題を解決するための手段】
底面に設けられた開口と、前記開口を開閉する開閉部材と、前記開閉部材を閉じた状態に保つ係止機構とからなり、前記開口が閉じているときに、開口と開閉部材の間が密閉処理されている樋のゴミ取り装置を提供する。
【００１１】
開口を開くことによってゴミを取り除くことができ、ゴミの排除が終わったら、また開口を閉じる。開口を閉じたとき、開口と開閉部材との間は、密閉処理されており、これによって水漏れを防ぐことができる。
【００１２】
開口の態様は、樋の形状に応じる。大きさはゴミを取り出すことのできるものであれば足りる。すなわち、例えば直径方向断面半円型の樋にあっては、その円弧の一部を切り取るような態様とする。また例えば、直径方向断面形状角型の樋にあっては、その底面の一部を切り取るような態様とする。底面の一部が切り取られて、樋のうち、角型樋の側面の壁のみが残されたような場合には、樋の強度を補強するために、補強手段を設けても良い。開閉部材の形状は、当該開口を閉じることができ、樋の水の流れを妨げず、また水漏れを引き起こしにくいものであれば、なんでも良い。開口部分がないとした場合の樋の形状がそのまま維持されるように構成しても良い。開口からの水漏れがないようにされているので、開口が閉じられているときには、通常の樋と同様に機能する。係止機構によって、開閉部材が自重により開くことがないようにされている。
【００１３】
係止機構の構造は、平時は、開口を開口部材で閉じ、ゴミ取りの際には当該開口を、開口部材の回動によって開口することができるものであれば、なんでも良い。
【００１４】
また、開閉部材が樋の直径方向に回動することによって開閉することを特徴とする樋のゴミ取り装置を提供する。開閉部材の回動は、樋の軸方向に延びる軸を回動中心として行なわれる。開閉部材の開閉を、開閉部材が樋の直径方向に回動することで得る場合、開閉部材を開く際に樋の下方に必要な空間が少なくて済む。
【００１５】
また、開閉部材が樋の軸方向に回動することによって開閉することを特徴とする樋のゴミ取り装置を提供する。回動は、樋の直径方向に存する支点を回動中心にして行なわれる。軸方向に開閉するものでは、開いたときに、樋の軸方向にゴミが容易に滑り落ちるので、直径方向に開閉するものよりも、ゴミを取り除くのが容易である。
【００１６】
開閉部材の開閉を、樋の直径方向とするか軸方向とするかは、樋の形状や、樋と建物との位置関係、樋と、ゴミ取りの操作を行なう場所との関係によって決める。たとえば、樋のすぐ下に屋根があるような場合には、樋の下方の空間が狭いので、直径方向のものが都合が良い。
【００１７】
また、前記開口が前記樋を切り欠いて設けられており、前記開閉部材が前記樋に直接取り付けられていることを特徴とする樋のゴミ取り装置を提供する。これにより、後仕様によって樋のゴミ取り装置を取り付けることができる。「開口が樋を切り欠いて設けられている」とは、樋の底面を、直接、切り欠いて開口が設けられていることを意味する。「開閉部材が樋に直接取り付けられている」とは、開閉部材が、基盤部材等を介さずに樋に、直に取り付けられていることを意味する。取付は、開閉部材が回動できるものであればなんでも良い。例えば、開閉部材が樋の軸方向に開閉する場合には、樋の直径方向に存する二つの支点に、開閉部材の、やはり直径方向に存する二つの支点を軸着することによって行なう。また例えば、開閉部材が樋の直径方向に開閉する場合には、樋の、頂端の一辺で例示される、樋の軸方向に延びる軸に、軸着することによって行なう。
【００１８】
また、前記開口が、基盤部材を切り欠くことによって設けられ、前記開閉部材が前記基盤部材に直接取り付けられ、前記基盤部材が前記樋に直接取り付けられていることを特徴とする樋のゴミ取り装置を提供する。これにより、樋の取り付け等を業としているもののみならず、一般の消費者が、樋のゴミ取り装置をいわゆる日曜大工店で気軽に入手することができる。
【００１９】
また、係止機構が、開閉部材に取り付けられたワイヤと、ワイヤを引っ張る力を方向転換するガイドと、ワイヤを止めるワイヤ係止機構とからなることを特徴とする、樋のゴミ取り装置を提供する。ワイヤによって開閉を行なうようにすることで、高所の樋に対応できる。
【００２０】
また、係止機構が、開閉部材の外側に取り付けられた係止部材からなることを特徴とする樋のゴミ取り装置を提供する。これにより、樋の取り付け等を業としているもののみならず、一般の消費者が、樋のゴミ取り装置をいわゆる日曜大工店で気軽に入手することができる。
【００２１】
また、一端が樋に軸着され、他端が樋に係止され、前記係止が外された際に、前記軸着された部分を軸に回動することによって、樋の底面に設けられた開口部を開く開閉部材を提供する。ここにいう開閉部材は、樋の直径方向に開閉するもの、樋の軸方向に開閉するもの、のいずれも含む。
【００２２】
さらに、底面に設けられた開口と、前記開口を開閉する開閉部材と、前記開閉部材を閉じた状態に保つ係止機構とからなり、前記開口が閉じているときに水漏れしないように密閉処理されている樋のゴミ取り装置を取り付けた樋を提供する。
【００２３】
【実施例１】
図１から図４に実施例１に係るゴミ取り装置を示す。実施例１では、開閉部材の開閉が、樋の軸方向である。
【００２４】
ゴミ取り装置３は、基盤部材２および開閉部材１からなる。
【００２５】
基盤部材２は、その形状が、取り付ける対象である樋の形状に沿うようになっており、左右方向に二つの基盤体７、当該二つの基盤体の間にある開口６、及び図１から図３に示すとおり、開口部分の左右方向片側に取り付けられた留め５を有する。開口の大きさは、樋に溜まるゴミの大きさと量、および、樋の形状に起因する開閉容易性に応じて、決定されるが、通常、軸方向約３０センチ程度がちょうど良い。
【００２６】
開閉部材１は、つめ４におい基盤部材２に軸着されている。開閉部材１の軸着は、基盤部材２の、留め５が設けられていない側でなされる。開閉部材１は、実施例３又は実施例４に例示する如き何らかの系止機構がない場合、自重により落下して図３に示すとおりの開いた状態になる。
【００２７】
図３、図４に示すとおり、ゴミ取り装置３を樋８に取り付ける際には、留め５が樋の水の流れの下流側に来るようにする。留め５は、雨水を流して落ち葉等のゴミを流さない構造であれば、櫛状、網目状、等、その形状を問わない。
【００２８】
留め５の存在により、落ち葉等のゴミは、留め５の水上方向に溜まる。実施例３又は実施例４に示すごとき、開閉部材を係止する機構が外されることにより、開閉部材１が開いて、溜まっていたゴミ等が開口６から落下し、取り除かれる。係止機構として実施例３を用いた場合には開閉部材を下から突くことにより、また、係止機構として実施例４を用いた場合にはワイヤをゆさゆさと上下に振り動かすことにより、開閉部材を上下に揺り動かして、溜まった落ち葉等を跳ね上げ、振り落とすことができる。
【００２９】
開閉部材は、一部分が基盤部材と重なっており、重なった部分はパッキン処理により水漏れが防止されている（図示しない）。パッキン処理は、例えば、スポンジを裏付した、既存のＥＰＴテープによって行なう。
【００３０】
基盤部材の、樋への取り付けは、既存のジョイントを用いて行なう。この場合のジョイントは、内面に防水シールが施されているものを用いる。角樋等の場合には、防水の観点からみて、ジョイントによる取り付けはあまり適さない。これに加えて角樋では、底面を開口すると、樋の側面の強度が弱くなるので、これを補強する必要もある。よって、角樋の場合には、基盤部材に、底面から鉛直方向に立ち上がる壁面を設け、当該壁面をリベットやネジ等で角樋に固着する。
【００３１】
【実施例２】
図５から図９に、実施例２を示す。実施例２では、開閉部材の開閉が、樋の直径方向である。実施例２に係るゴミ取り装置１３では、開閉部材１１が、樋の軸方向に設けられた軸着部１４で基盤部材１２に取り付けられているほかは、実施例１と同様である。
【００３２】
実施例２に係るゴミ取り装置１３の開閉部材１１が開いている状態を、図６に斜め上からみた説明図として示し、図７に側面からみた説明図として示す。
【００３３】
【実施例３】
図４に、実施例１に係る装置に実施例３に係る係止機構が用いられている状態を示す。実施例３に係る係止機構では、開閉部材１は係止機構９によって係止されている。係止機構９において、係止部材１０の一端は開閉部材１に固着されており、係止部材１０の他端は基盤部材２に固着されたナットを介して基盤部材にネジ留されている。この場合のネジは、開閉部材の開閉に用いられるものなので、付け外しの容易なものであればなんでもよい。平時は、係止機構９によって、開閉部材１の落下が止められている。ゴミを落とす際には、蝶ネジをまわしてボルトと基盤部材２との係合を解くことによって、開閉部材１をつめ４を軸に回転せしめ、開口６からゴミを落下させる。
【００３４】
実施例３は、比較的低い位置にある樋に用いるのが有効である。実施例３は、実施例２の係止機構としても用いることができる。実施例２の係止機構とする場合には、係止部材を軸方向に二つ設けることもある。
【００３５】
【実施例４】
図８、図９では、実施例２に係る装置に実施例４に係る係止機構が用いられている状態を示す。実施例４に係る係止機構は、実施例１にも用いることができる。
【００３６】
図８に示すとおり、開閉部材１３の二箇所のガイド取付２７、２８において、ワイヤ２５が取り付けられている。ワイヤ２５は、ガイドＢ２６、ガイドＡ２０を介して、矢印Ｄの方向に到る。図８、図９ではガイド取付が二つのものを示したが、ガイド取付はひとつであっても良い。ガイド取付の位置は、開閉部材１３の左右方向中央付近から開閉部材の回動軸の反対側の端に到るどこであってもよく、要は、開閉部材を回動せしめることができる位置であれば良い。また、図ではガイドＢ２６を示したが、ガイドＢはあってもなくても良い。要は、開閉部材に取り付けたワイヤを、屋根等の周辺部材とぶつかることなくガイドＡ２０の方向に導くことができれば良い。
【００３７】
ガイドＡ２０は、屋根１５の裏側に設けられている。ガイドＡの構造は、ゴミ取り装置の存する位置から一度上方に向ったワイヤを、下方に方向転換させることができるものであればなんでも良い。図１０に、ガイドＡ２０を例示する。ガイドＡ２０では、屋根１５に、ボルト２２とナット２１で固着された滑車体２４に、滑車２３が取り付けられている。ワイヤ２５は、この滑車によって、方向転換される。
【００３８】
ガイドＡで方向転換したワイヤ２５は、矢印Ｄ方向に導かれ、さらにその先で、開閉部材が開くのを止めるように係止されている。開閉部材が開くのを止めるに用いられる機構は、「係止」と「係止解除」とを選択できる機構であればどんなものでも良い。例えば、操作者の手の届く位置に設けられた係止機構に結びつけるだけでも良いし、船の係留に用いられるクリークのような機構でも良い（図示しない）。また、図１１から図１３に示すようなワイヤ巻取り装置でも良い。ワイヤ巻取り装置は、ワイヤ巻取り装置を壁に固着するための固着体３１、及び回転自在の巻取りドラム、巻取りドラムの回転を止めるストッパー機構３５からなる。ワイヤは、ハンドル３３によって巻き取ることができる。ストッパー機構３５は、ストッパー体３６、及びストッパー体の方向を決める案内棒Ａ及び案内棒Ｂ、ストッパー体を係止する蝶ネジ３９からなる。ドラム３２は、ストッパー機構３５によって、ワイヤの巻き取りを解放する方向に回転しないように止められている。ストッパーは、蝶ねじによってロックできる。
【００３９】
ワイヤは、ある程度、雨風に対する耐性がありかつ適度な強度があれば、その素材を問わない。例えば、金属製のもの、合成繊維等でなるロープ、等でも良い。
【００４０】
たとえば、二階家屋の屋根等、樋が高い位置にある場合、二階の部屋の窓から操作できるよう、巻き取り装置等を二階の窓の際等に取り付ける。また、樋のある位置から巻取り装置（これに限らず、ワイヤを巻き取る操作をするものの全てを含む）の位置までの距離が長い場合には、家屋の壁面等にワイヤを案内する係止具を取り付け、ワイヤを操作位置まで導く。
【００４１】
【実施例５】
実施例５は、既存の樋に、実施例１又は実施例２に示す開閉部材１または１１に相当する開閉部材を、後仕様により取り付けるものである。開閉部材の自由落下を止める手段は、実施例３に示す如き係止機構によるもの、実施例４に示すワイヤによるもの、のいずれでもよい。
【００４２】
【発明の効果】
雨樋集水器や軒樋に溜まったゴミを、高所に登らずに容易に取り除くことができる。
【００４３】
様々な形状の軒樋のゴミ取装置として用いることができる。
【００４４】
通常の家屋の樋、ビルの樋、農業用ビニールハウスの樋、テラスやバルコニーの樋、等、あらゆる樋に適用可能なゴミ取装置である。
【００４５】
従来の樋に、後仕様により取り付けることができる。
【図面の簡単な説明】
【図１】本願実施例１に係る樋のゴミ取装置を分解して示す。
【図２】本願実施例１に係る樋のゴミ取装置を示す。
【図３】本願実施例１に係る樋のゴミ取装置であって開閉部材を開いた状態を示す。図３では、本願実施例３に係る係止機構が用いられている。
【図４】本願実施例１に係る樋のゴミ取装置を樋に取り付けた状態を正面からの景観で示す。
【図５】本願実施例２に係る樋のゴミ取装置を示す。
【図６】本願実施例２に係る樋のゴミ取装置であって開閉部材を開いた状態を示す。
【図７】本願実施例２に係る樋のゴミ取装置であって開閉部材を開いた状態を側面からの景観で示す。図７では、本願実施例４に係る係止機構が用いられている。
【図８】本願実施例２に係る樋のゴミ取装置のワイヤの取付状態を側面からの景観で示す。図８では、本願実施例４に係る係止機構が用いられている。
【図９】本願実施例２に係る樋のゴミ取装置のワイヤの取付状態を示す。図９では、本願実施例４に係る係止機構が用いられている。
【図１０】本願実施例４に係るガイドＡを示す。
【図１１】本願実施例５に係るワイヤ巻取機構を示す。
【図１２】本願実施例５に係るワイヤ巻取り機構を示す。
【図１３】本願実施例５に係るワイヤ巻取り機構を示す。
【図１４】従来の樋のゴミ取装置を示す。
【符号の説明】
１・・・開閉部材
２・・・基盤部材
３・・・ゴミ取装置
４・・・つめ
５・・・留め
６・・・開口
７・・・基盤体
８・・・樋
９・・・係止機構
１０・・・係止部材
１１・・・開閉部材
１２・・・基盤部材
１３・・・ゴミ取装置
１４・・・軸着部
１５・・・屋根
２０・・・ガイドＡ
２１・・・ナット
２２・・・ボルト
２３・・・滑車
２４・・・滑車体
２５・・・ワイヤ
２６・・・ガイドＢ
２７・・・ガイド取付
２８・・・ガイド取付
３０・・・ワイヤ巻取装置
３１・・・固着体
３２・・・巻取ドラム
３３・・・ハンドル
３５・・・ストッパー機構
３６・・・ストッパー体
３７・・・案内棒Ａ
３８・・・案内防Ｂ
３９・・・蝶ネジ
４０・・・落ち葉取り
４１・・・樋
【図１】
0003611033.tif 000002
【図２】
0003611033.tif 000003
【図３】
0003611033.tif 000004
【図４】
0003611033.tif 000005
【図５】
0003611033.tif 000006
【図６】
0003611033.tif 000007
【図７】
0003611033.tif 000008
【図８】
0003611033.tif 000009
【図９】
0003611033.tif 000010
【図１０】
0003611033.tif 000011
【図１１】
0003611033.tif 000012
【図１２】
0003611033.tif 000013
【図１３】
0003611033.tif 000014
【図１４】
0003611033.tif 000015